(57)【特許請求の範囲】
【請求項１】
プラグ差込口を備え、該プラグ差込口に接続されたプラグを介して負荷に電力を供給するためのプラグソケットと、
該プラグソケットに流れる電流値を検知する電流検知部と、
該電流検知部を駆動するための電力供給のオン・オフを行なう検知部電力スイッチと、
前記電流検知部により検知された電流値に基づいて前記検知部電力スイッチを制御する制御手段と、
前記電流検知部、前記検知部電力スイッチ、並びに前記制御手段を夫々駆動する各回路部への電力供給のオン・オフを行なう全電力スイッチと、
前記各回路部への電力の供給停止時間を計測すると共に、前記全電力スイッチを制御するバッテリ駆動型タイマ回路と、
を備えたことを特徴とする電源タップ。
【請求項２】
前記制御手段は、前記電流検知部が前記プラグソケットに流れる電流値がゼロの状態を検知し、且つ前記電流値がゼロの状態を所定時間継続した場合、前記電流検知部への電力の供給を停止するように前記検知部電力スイッチを制御することを特徴とする請求項１に記載の電源タップ。
【請求項３】
前記制御手段は、前記検知部電力スイッチにより前記電流検知部への電力の供給を停止した後、所定の時間経過すると、前記電流検知部へ電力を供給するように前記検知部電力スイッチを制御することを特徴とする請求項２に記載の電源タップ。
【請求項４】
前記制御手段は、前記電流検知部への電力供給のオン・オフが所定時間繰り返された時に、前記各回路部への電力の供給を停止するように前記全電力スイッチを制御することを特徴とする請求項１又は３に記載の電源タップ。
【請求項５】
前記バッテリ駆動型タイマ回路は、前記全電力スイッチにより前記各回路部への電力の供給を停止した後、所定の時間経過したことを計測すると、該各回路部へ電力を供給するように前記全電力スイッチを制御することを特徴とする請求項４に記載の電源タップ。
【発明の詳細な説明】
【技術分野】
【０００１】
本発明は、電源タップに関し、特に、インテリジェントタイプの電源タップに係る省エネ技術に関するものである。
【背景技術】
【０００２】
従来から、無線ＬＡＮ等を介して遠隔でプラグソケットに接続された電機機器を監視して電源制御を行なう電源タップが知られている。例えば、特許文献１には、電源タップの各プラグソケットに電源をＯＮ・ＯＦＦするリレーと、各プラグソケットから電気機器に流れる電流を計測するための電流センサが設けられている。また、制御部には、各電流センサからの計測値を受け入れる計測手段と、ＬＡＮとの通信を行なう通信手段と、ＬＡＮを介して接続されたサーバからの指令を受けて、リレーのＯＮ・ＯＦＦを切り替える手段が備えられている。
この電源タップは、プラグソケットに接続されたパソコンの電源がＯＦＦとなっていても、待機電力は供給され続けているため、この待機電力に相当する電流を電流センサで検出したとき、この情報がサーバに伝わると、リレーをＯＦＦするように指令が発せられ、リレーをＯＦＦして省エネするといった使い方をする。このように、電源タップをインテリジェント化することによって、オフィスなどにおける夜間の待機電力を低減できるなどの省エネ効果が期待できる。
【先行技術文献】
【特許文献】
【０００３】
【特許文献１】特開２００６−１１４９９７公報
【発明の概要】
【発明が解決しようとする課題】
【０００４】
しかしながら、特許文献１に開示されている従来技術は、電源タップをインテリジェント化したことによって、電源タップ自体の消費電力が無視できないという問題が生じている。特に、オフィスなどでは、多数の電源タップを使用するので、電源タップが消費する電力をいかにして低減するかが課題となっている。
本発明は、かかる課題に鑑みてなされたものであり、電源タップを構成する回路部の電力を極力省エネすることにより、電源タップ自体の消費電力を低減した電源タップを提供することを目的とする。
【課題を解決するための手段】
【０００５】
本発明はかかる課題を解決するために、請求項１は、プラグ差込口を備え、該プラグ差込口に接続されたプラグを介して負荷に電力を供給するためのプラグソケットと、該プラグソケットに流れる電流値を検知する電流検知部と、該電流検知部を駆動するための電力供給のオン・オフを行なう検知部電力スイッチと、前記電流検知部により検知された電流値に基づいて前記検知部電力スイッチを制御する制御手段と、前記電流検知部、前記検知部電力スイッチ、並びに前記制御手段を夫々駆動する各回路部への電力供給のオン・オフを行なう全電力スイッチと、前記各回路部への電力の供給停止時間を計測すると共に、前記全電力スイッチを制御するバッテリ駆動型タイマ回路と、を備えたことを特徴とする。
本発明に係る電源タップは、負荷に流れる電流を検知する電流検知部の消費電力を抑制することが目的である。そのために、電流検知部の電源経路に直列に回路をＯＮ・ＯＦＦするためのスイッチと、全ての回路部に供給している電力をＯＮ・ＯＦＦするためのスイッチを備える。これらのスイッチは、リレーでも電子スイッチでも構わないが、可能な限り消費電力が少ない素子が好ましい。また、回路部の電力をＯＦＦすると制御手段が使用不可となるので、全電力スイッチを制御するのはバッテリ駆動型タイマ回路が行なう。これにより、消費電力を極限まで抑制することができるばかりでなく、全電力スイッチをＯＦＦしても、時間の計時と全電力スイッチの駆動を無停電状態で行なうことができる。
【０００６】
請求項２は、前記制御手段は、前記電流検知部が前記プラグソケットに流れる電流値がゼロの状態を検知し、且つ前記電流値がゼロの状態を所定時間継続した場合、前記電流検知部への電力の供給を停止するように前記検知部電力スイッチを制御することを特徴とする。
本発明では、電流検知部により検知されたプラグソケットに流れる電流（負荷電流と等価）がゼロになり、この状態が所定の時間継続した場合に、プラグソケットに負荷が接続されていない状態であると判断して、制御手段は、更に省エネを実施するために、電流検知部を駆動している直流電力の供給を停止する。これにより、無負荷状態になった場合に、不要な回路の電力を削減することができる。
請求項３は、前記制御手段は、前記検知部電力スイッチにより前記電流検知部への電力の供給を停止した後、所定の時間経過すると、前記電流検知部へ電力を供給するように前記検知部電力スイッチを制御することを特徴とする。
無負荷状態から、いつ定常状態に復帰するか予測ができない。そこで本発明では、電流検知部を間欠的に駆動させて、負荷の状態を周期的に検知するために、電流検知部への電力を停止した後に、所定の時間経過後に、電流検知部への電力の供給を再開する。これにより、消費電力を低減しながら、負荷の状態を検知することができる。
【０００７】
請求項４は、前記制御手段は、前記電流検知部への電力供給のオン・オフが所定時間繰り返された時に、前記各回路部への電力の供給を停止するように前記全電力スイッチを制御することを特徴とする。
電流検知部への電力供給が間欠動作に移ると、負荷には殆ど電力が消費されていない状況とみることができる。従って、タイマ回路はその状態が開始されるとタイマをスタートさせて、所定の時間その状態が継続したことを検知すると、全ての回路部への電力を停止する。これにより、制御手段を含む全ての回路部の電力の供給を停止して、更なる省エネを実現することができる。
請求項５は、前記バッテリ駆動型タイマ回路は、前記全電力スイッチにより前記各回路部への電力の供給を停止した後、所定の時間経過したことを計測すると、該各回路部へ電力を供給するように前記全電力スイッチを制御することを特徴とする。
全ての回路部の電力が停止すると、プラグソケットに接続された負荷には当然ＡＣ電力も供給されなくなる。しかし、無負荷状態から、いつ定常状態に復帰するか予測ができない。そこで本発明では、全電力スイッチをＯＦＦした後に、所定の時間経過後に、再び全電力スイッチをＯＮして全ての回路部へ電力を供給する。これにより、消費電力を低減しながら、負荷の状態を検知することができる。
【発明の効果】
【０００８】
本発明によれば、回路部の電力をＯＦＦすると制御手段が使用不可となるが、全電力スイッチを制御するのをバッテリ駆動型のタイマ回路が行なうことにより、消費電力を極限まで抑制することができると共に、全電力スイッチをＯＦＦしても、時間の計時と全電力スイッチの駆動を無停電状態で行なうことができる。
また、電流検知部により検知されたプラグソケットに流れる電流がゼロになり、この状態が所定の時間継続した場合に、プラグソケットに負荷が接続されていない状態であると判断して、制御手段は、更に省エネを実行するために、電流検知部を駆動している直流電力の供給を停止するので、無負荷状態になった場合に、不要な回路の電力を削減することができる。
また、電流検知部を間欠的に駆動させて、負荷の状態を周期的に検知するために、電流検知部への電力を停止した後に、所定の時間経過後に、電流検知部への電力の供給を再開するので、消費電力を低減しながら、負荷の状態を検知することができる。
また、タイマ回路は電流検知部の間欠状態が開始されるとタイマをスタートさせて、所定の時間その状態が継続したことを検知すると、全ての回路部への電力を停止するので、制御手段を含む全ての回路部の電力の供給を停止して、更なる省エネを実現することができる。
また、全電力スイッチをＯＦＦした後に、所定の時間経過後に、再び全電力スイッチをＯＮして全ての回路部へ電力を供給するので、消費電力を低減しながら、負荷の状態を検知することができる。
【図面の簡単な説明】
【０００９】
【図１】本発明の第１の実施形態に係る電源タップの構成を示す図である。
【図２】第１の実施形態に係る電源タップの動作を説明するフローチャートである。
【図３】第２の実施形態に係る電源タップの動作を説明するフローチャートである。
【図４】（ａ）は、第１の実施形態に係る電源タップ内の電流センサと検知部ＳＷの関係を示すタイミングチャートであり、（ｂ）は、第２の実施形態に係る電源タップ内の検知部ＳＷと全電力ＳＷの関係を示すタイミングチャートである。
【発明を実施するための形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１１】
図１は、本発明の第１の実施形態に係る電源タップの構成を示す図である。本発明の電源タップ５０は、プラグ差込口１ａを備え、このプラグ差込口１ａに接続されたプラグを介して負荷に電力を供給するためのプラグソケット１と、プラグソケット１のケーブル２に流れる電流値を検知する電流センサ３とＡ／Ｄ変換を行なう電流増幅部５から成る電流検知部２２と、電流検知部２２を駆動するための電力供給のＯＮ・ＯＦＦを行なう検知部ＳＷ（検知部電力スイッチ）６と、電流検知部２２、検知部ＳＷ６、通信部１３、並びに制御装置１７を夫々駆動する回路部への電力供給のＯＮ・ＯＦＦを行なう全電力ＳＷ（全電力スイッチ）２０と、プラグソケット１への電力供給のＯＮ・ＯＦＦを行なうソケットＳＷ（プラグソケットスイッチ）４と、電流検知部２２により検知された電流値に基づいて検知部ＳＷ６を制御する制御装置（制御手段）１７と、制御装置１７に指令を与える図示しないサーバとの通信を行なう通信部（通信手段）１３と、電流検知部２２及び各回路部への電力の供給時間、及び供給停止時間を計測すると共に、全電力ＳＷ２０を制御するタイマ回路２４と、各部に直流電力を供給するＤＣ電源部１８と、プラグソケット１とＤＣ電源部１８に交流電力を供給するプラグ２１と、を備えている。
【００１２】
尚、制御装置１７は、電流増幅部５により増幅された電流値を入力し、検知部ＳＷ６及びソケットＳＷ４に動作信号を出力するＩ／Ｏポート１４と、電流検知部２２、並びに全ての回路部への電力供給を停止するまでの時間を計測するタイマＡと、通信部１３を介してサーバとの信号の授受及び全体を制御する制御部１５と、を備え、また、図では３回路を制御するように構成されており、各回路は同じ構成要素により構成されている。また、タイマ回路２４は、全ての回路部への電力の供給停止時間を計測するタイマＢと、タイマＢを駆動するバッテリ２３を備えている。
即ち、各ソケットＳＷ４には、プラグ２１からケーブル１１を介してＡＣ１００Ｖが供給され、ソケットＳＷ４の出力はケーブル２を介して各プラグソケット１に接続されている。また、各電流増幅部５からの出力信号は、ケーブル８を介してＩ／Ｏポート１４に入力され、Ｉ／Ｏポート１４からの制御信号は、各検知部ＳＷ６にケーブル９を介して接続されると共に、各ソケットＳＷ４にケーブル１０を介して接続されている。また、ＤＣ電源部１８から、各検知部ＳＷ６、制御装置１７、タイマ回路２４、及び通信部１３にケーブル７を介してＤＣ電力が供給されている。また、全電力ＳＷ２０は制御装置１７のＩ／Ｏポート１４を介してＯＦＦ制御され、タイマＢからケーブル２５を介してＯＮ制御される。また、通信部１３はネットワーク１２を介して図示しないサーバに接続されている。
【００１３】
次に、本発明の電源タップ５０の概略動作について説明する。通常使用状態では、全電力ＳＷ２０はＯＮ状態であり、全ての回路部には、ＤＣ電源部１８から直流電力が供給されている。また、各プラグソケット１には、例えばＰＣ等が接続されている。また、制御部１５は、各ソケットＳＷ４をＯＮして、各プラグソケット１にＡＣ電力を供給する。また、各検知部ＳＷ６をＯＮして、各電流検知２２にＤＣ電力を供給する。ＰＣが起動すると当然ケーブル２には負荷に応じた電流が流れ、電流センサ３により電流値が検知されて、電流増幅部５により電流値がＡ／Ｄ変換されてＩ／Ｏポート１４に入力する。制御部１５は各電流検知部２２の電流を監視し、プラグソケット１に流れる電流の変化をみる。また、夜間等に、ＰＣが待機モードになると、待機電流が電流センサ３により検知され、その値が制御部１５に入力される。そして、その状態が通信部１３を介してサーバに送信される。サーバでは、各プラグソケットの電流値から待機モードであることを検知すると、それに対応するプラグソケット１のソケットＳＷ４をＯＦＦする指令を制御装置１７に送信する。その結果、そのプラグソケット１に接続されているＰＣの待機電力が停止される。そのときは、以下に説明する、プラグソケットからプラグが抜かれている時と同様に電流検知部２２の電力も停止されることになる。
【００１４】
ここで、ケーブル２に流れる電流がゼロであることを制御部１５が検知し、その状態が所定の時間継続すると、プラグソケット１からプラグが抜かれていると見なして、電流検知部２２に供給する電力を停止するために、検知部ＳＷ６をＯＦＦする信号をケーブル９を介してＩ／Ｏポート１４から出力する。その結果、ＤＣ電源部１８から供給されているＤＣ電力は電流検知部２２に供給されなくなり、その分、省エネとなる。尚、所定の時間をタイマＡにより計測すると、再び電流検知部２２に電力を供給するために、検知部ＳＷ６をＯＮする信号をケーブル９を介してＩ／Ｏポート１４から出力して、上記の動作を繰り返す。
また、全てのプラグソケットについて上記の間欠動作が所定の時間継続してタイマＡが所定の時間を計時すると、各プラグソケット１には負荷が接続されていないと判断して、制御部１５はＩ／Ｏポート１４を介して全電力ＳＷ２０をＯＦＦする。制御部１５はこれと同時にタイマＢをスタートさせる。これにより、制御装置１７を含む全ての回路部の電力が停止する。尚、タイマＢが動作して、所定時間の計時をすると、全電力ＳＷ２０を復帰（ＯＮ）する信号をライン２５を介して出力する。
【００１５】
以上のとおり、本実施形態に係る制御装置１７は、電流検知部２２がプラグソケット１に流れる電流値がゼロの状態を検知し（本明細書において「電流値がゼロ」とは、プラグソケットに負荷が何も接続されていない状態のときの電流値のことを指す）、且つタイマＡが電流値がゼロの状態を所定時間継続したことを計測した場合、電流検知部２２への電力の供給を停止するように検知部ＳＷ６を制御する。更に、この状態が所定時間継続すると、ＤＣ電源部１８からの電力供給を全て停止することにより省エネを行なうものである。
本実施形態に係る電源タップ５０は、負荷に流れる電流を検知する電流検知部２２更には、制御装置１７への消費電力を抑制することが目的である。そのために、電流検知部２２の電源経路２に直列に回路をＯＮ・ＯＦＦするための検知部ＳＷ６と、全ての回路部に供給している電力をＯＮ・ＯＦＦするための全電力ＳＷ２０を備える。この検知部ＳＷ６と全電力ＳＷ２０は、リレーでも電子スイッチでも構わないが、可能な限り消費電力が少ない素子が好ましい。電流検知部２２により検知されたプラグソケット１に流れる電流（負荷電流と等価）がゼロになり、この状態が所定の時間継続した場合に、プラグソケット１に負荷が接続されていない状態であると判断して、制御装置１７は、更に省エネを実現するために、電流検知部２２を駆動している直流電力の供給を停止する。これにより、無負荷状態になった場合に、不要な回路の電力を削減することができる。更に、全ての回路部の電力をＯＦＦすると制御装置１７が使用不可となるので、全電力ＳＷ２０の復帰（ＯＮ）を制御するのはバッテリ駆動型タイマ回路２４が行なう。これにより、消費電力を極限まで抑制することができる。
【００１６】
図２は、第１の実施形態に係る電源タップの動作を説明するフローチャートである。本フローチャートでは、プラグソケット１から、プラグが抜かれた状態について説明し、全ての回路が同じ構成であるため、一つの回路の動作についてのみ説明する。プラグソケット１からプラグが抜かれると、ケーブル２には電流が流れなくなり、電流センサ３は電流ゼロを検知する（Ｓ１でＹｅｓ）。その結果、電流増幅部５は電流ゼロの状態をＩ／Ｏポート１４に入力する。制御部１５はＩ／Ｏポート１４の各入力ポートの状態を時分割に検索しているので、特定の入力ポートがゼロを検知すると、その時点からタイマＡを起動して時間（ｔ１）を計測する。そして予め設定した時間が経過しても電流ゼロが継続していると（Ｓ２でＹｅｓ）、制御部１５は、電流がゼロを検知した電流検知部２２の検知部ＳＷ６をＯＦＦするために、Ｉ／Ｏポート１４の対応する出力ポートにＯＦＦ信号を出力する（Ｓ３）。その結果、対応する検知部ＳＷ６がＯＦＦとなり（Ｓ４）、ＤＣ電源部１８から供給されているＤＣ電力の経路を遮断して電流検知部２２に電力の供給を停止する。
制御部１５は検知部ＳＷ６をＯＦＦしてから所定時間（ｔ２）をタイマＡにより計測して（Ｓ５でＹｅｓ）、再び検知部ＳＷ６をＯＮするために、Ｉ／Ｏポート１４の対応する出力ポートにＯＮ信号を出力する（Ｓ６）。その後は、ステップＳ１に戻って以上の動作を繰り返す。尚、このフローチャートのステップＳ１において、電流センサ３が何らかの電流が流れていることを検知した場合は（Ｓ１でＮｏ）、プラグソケット１に負荷が接続されていることを示すため、ステップＳ６に進んで、検知部ＳＷ６をＯＮし、電流検知部２２の動作を継続する。
【００１７】
図３は、第２の実施形態に係る電源タップの動作を説明するフローチャートである。本フローチャートでは、全てのプラグソケット１から、プラグが抜かれた状態について説明し、全ての回路が同じ構成であるため、一つの回路の動作についてのみ説明する。プラグソケット１からプラグが抜かれると、ケーブル２には電流が流れなくなり、電流センサ３は電流ゼロを検知する（Ｓ１でＹｅｓ）。その結果、電流増幅部５は電流ゼロの状態をＩ／Ｏポート１４に入力する。制御部１５はＩ／Ｏポート１４の各入力ポートの状態を時分割に検索しているので、特定の入力ポートがゼロを検知すると、その時点からタイマＡ（尚、タイマ１６内には、異なる時間を計時するタイマが複数存在する）を起動して時間（ｔ１）を計測する。そして予め設定した時間が経過しても電流ゼロが継続していると（Ｓ２でＹｅｓ）、制御部１５は、電流がゼロを検知した電流検知部２２の検知部ＳＷ６をＯＦＦするために、Ｉ／Ｏポート１４の対応する出力ポートにＯＦＦ信号を出力する（Ｓ３）。その結果、対応する検知部ＳＷ６がＯＦＦとなり（Ｓ４）、ＤＣ電源部１８から供給されているＤＣ電力の経路を遮断して電流検知部２２に電力の供給を停止する。
【００１８】
制御部１５は検知部ＳＷ６をＯＦＦしてからタイマＡにより所定時間（ｔ２）を計測して（Ｓ５でＹｅｓ）、再び検知部ＳＷ６をＯＮするために、Ｉ／Ｏポート１４の対応する出力ポートにＯＮ信号を出力する（Ｓ６）。ここで、制御部１５は、タイマＡに時間（ｔ４）をセットしてスタートする（Ｓ７）。そして、タイマＡの時間が（ｔ４）に達していなければ（Ｓ８でＮｏ）、ステップＳ１に戻って繰り返す。ステップＳ８でタイマＡが時間（ｔ４）を計時すると（Ｓ８でＹｅｓ）、そのタイマをストップして（Ｓ９）、全電力ＳＷ２０をＩＯポート１４を介してＯＦＦする（Ｓ１０）。それと同時にタイマＢに時間（ｔ３）をセットしてスタートさせ（Ｓ１１）、時間（ｔ３）を計時すると（Ｓ１２でＹｅｓ）、タイマ回路２４は、全電力ＳＷをＯＮする（Ｓ１３）。そしてステップＳ１に戻って繰り返す。
一方、ステップＳ１で電流センサ３が電流を検知すると（Ｓ１でＮｏ）、タイマ１６内の全てのタイマをストップして（Ｓ１４）、全電力ＳＷをＯＮとする（Ｓ１３）。
【００１９】
図４（ａ）は、第１の実施形態に係る電源タップ内の電流センサと検知部ＳＷの関係を示すタイミングチャートであり、図４（ｂ）は、第２の実施形態に係る電源タップ内の検知部ＳＷと全電力ＳＷの関係を示すタイミングチャートである。
図４（ａ）では、電流センサ３には電力が供給されているので、電流センサ３によりモニタポイントで電流値を測定することができる。その電流値がゼロを検知した場合は、その状態が時間ｔ１だけ経過したことを検知すると、検知部ＳＷ６をＯＦＦにする。その時点から時間ｔ２後に検知部ＳＷ６を再びＯＮにして、モニタポイントの電流値がまだゼロであれば、その状態が時間ｔ１だけ経過したことを検知すると、検知部ＳＷ６をＯＦＦにする。このように、電流センサ３の電流がゼロの間は、検知部ＳＷ６を間欠動作させることにより、連続動作よりも電力を省エネすることができる。ここで、検知部ＳＷ６をＯＮしたときに、電流センサ３が電流を検知すると、その時点から検知部ＳＷ６をＯＮ状態のままにする。尚、時間ｔ１とｔ２の大小関係は、ｔ１＜ｔ２であることが好ましい。
【００２０】
図４（ｂ）では、検知部ＳＷ６が間欠動作している間は、負荷がプラグソケット１に接続されていないため、上記の間欠動作が所定の時間（ｔ４）継続すると、タイマＡがタイムオーバーとなり、各プラグソケット１には負荷が接続されていないと判断して、制御部１５はＩ／Ｏポート１４を介して全電力ＳＷ２０をＯＦＦする。しかし、いつ負荷がプラグソケットに接続されるのかが分らないので、タイマ回路２４は時間（ｔ３）が経過すると、全電力ＳＷ２０をＯＮにする。尚、時間ｔ１〜ｔ４の大小関係は、ｔ１＜ｔ２＜ｔ３＜ｔ４であることが好ましい。
【００２１】
以上説明のとおり、本発明によれば、回路部の電力をＯＦＦすると制御装置１７が使用不可となるが、全電力ＳＷ２０の復帰（ＯＮ）制御をバッテリ駆動型のタイマ回路２４が行なうことにより、消費電力を極限まで抑制することができると共に、全電力ＳＷ２０をＯＦＦしても、時間の計時と全電力ＳＷ２０の駆動を無停電状態で行なうことができる。
また、電流検知部２２により検知されたプラグソケット１に流れる電流がゼロになり、この状態が所定の時間継続した場合に、プラグソケット１に負荷が接続されていない状態であると判断して、制御装置１７は、更に省エネを実現するために、電流検知部２２を駆動している直流電力の供給を停止するので、無負荷状態になった場合に、不要な回路の電力を削減することができる。
また、電流検知部２２を間欠的に駆動させて、負荷の状態を周期的に検知するために、電流検知部２２への電力を停止した後に、所定の時間経過後に、電流検知部２２への電力の供給を再開するので、消費電力を低減しながら、負荷の状態を検知することができる。
また、タイマ回路２４は電流検知部２２の間欠状態が開始されるとタイマ１６をスタートさせて、所定の時間（ｔ４）その状態が継続したことを検知すると、全ての回路部への電力を停止してもよいと判断できるので、制御装置１７を含む全ての回路部の電力の供給を停止して、更なる省エネを実現することができる。
また、全電力ＳＷ２０をＯＦＦした後に、所定の時間（ｔ３）経過後に、再び全電力スイッチをＯＮして全ての回路部へ電力を供給するので、消費電力を低減しながら、負荷の状態を検知することができる。
【００２２】
更に、本発明は次のように変形することができる。
全電力ＳＷ２０がＯＦＦの状態で、プラグソケット１に電気機器の電源プラグが挿入されても、図示しないサーバにそのことを通知することができない。
そこで、タイマＢをリセットして全電力ＳＷ２０をＯＮするためのスイッチを追加し、電気機器のプラグを挿入した際にこのスイッチを操作することで、図示しないサーバによる管理が再開される。
【符号の説明】
【００２３】
１  プラグソケット、２  ケーブル、３  電流センサ、４  ソケットＳＷ、５  電流増幅部、６  検知部ＳＷ、７  ＤＣケーブル、８  信号ケーブル、９  信号ケーブル、１０  信号ケーブル、１１  ＡＣケーブル、１２  ネットワーク、１３  通信部、１４  Ｉ／Ｏポート、１５  制御部、１７  制御装置、１８  ＤＣ電源部、１９  ＤＣケーブル、２０  全電力ＳＷ、２１  プラグ、２２  電流検知部、２３  バッテリ、２４  タイマ回路、５０  電源タップ
【図１】
0005839469.tif 000002
【図２】
0005839469.tif 000003
【図３】
0005839469.tif 000004
【図４】
0005839469.tif 000005